(57)【要約】      （修正有）【課題】常温用タンク、ウォーターサーバー用タンク、あるいは、これら兼用のタンクに装着する上段及び下段のろ材カートリッジを通る水が、自然に落下して下部タンクに溜まるよう構成した常温用タンク、ウォーターサーバー用タンク、あるいは、これら兼用タンクにおけるろ材カートリッジの構造を提供する。【解決手段】上部タンクと下部タンクからなる。タンクの上部タンクの底面部に、着脱自在に装着し、下部タンクに連通する上・下二段のろ材カートリッジ３，４において、上段のろ材カートリッジ３の上部ろ材Ｘの上面と、カートリッジの底面とに、それぞれ、ステンレス製のメッシュ板５を介在させる。【選択図】図４
0003164794.tif 000002
【実用新案登録請求の範囲】
【請求項１】
上部タンク（１）と下部タンク（２）からなる常温用タンク、ウォーターサーバー用タンク、あるいは、これら兼用のタンクであって、
該タンクの上部タンク（１）の底面部（１ａ）に着脱自在に装着し、下部タンク（２）に連通する上・下二段からなるろ材カートリッジ（３）（４）において、
上段のろ材カートリッジ（３）の上面部と、底面部とに、それぞれ、ステンレス製のメッシュ板（５）を介在させることを特徴とする常温用タンク、ウォーターサーバー用タンク、あるいは、これら兼用タンクのろ材カートリッジの構造。
【請求項２】
上部タンク（１）の底面部（１ａ）に着脱自在に装着し、上段のろ材カートリッジ（３）及び下段のろ材カートリッジ（４）で、上部タンク（１）に、上から入れた水道水や検査水等の水を、ろ過することを特徴とする請求項１記載の常温用タンク、ウォーターサーバー用タンク、あるいは、これら兼用タンクのろ材カートリッジの構造。
【考案の詳細な説明】
【技術分野】
【０００１】
この考案は、常温用タンク、ウォーターサーバー用タンク、あるいは、これら兼用タンクのろ材カートリッジの構造に関するものである。
【背景技術】
【０００２】
従来、水道水や検査された水を用いて、銀添活性炭等や、サンゴ等のアルカリ化剤等を素材としたろ材カートリッジをくぐり抜けたミネラル水が存在することは、既に、知られている。
【０００３】
そして、ウォーターサーバーの上に、タンクを着脱可能に載置するものも公開されている。例えば、特許文献１のように。
【先行技術文献】
【特許文献】
【０００４】
【特許文献１】特開２００７−１３６３０４号公報
【０００５】
しかし、これらのものは、上部タンクからろ材を充填したカートリッジを通過して下部タンクへ落下する水道水等の水が、スムーズに落下しないという欠点があった。
【０００６】
これは、従来、ろ材カートリッジには、合成樹脂製の小孔板が使用されており、水道水は、この小孔板とろ材を介して下部タンクへ落下しており、この合成樹脂製の小孔板に静電気が発生して、それが原因で、上部タンクから下部タンクへの水道水の落下スピードが遅いということも言われている。
【考案の概要】
【考案が解決しようとする課題】
【０００７】
そこで、この考案が解決しようとする課題は、常温用タンク、ウォーターサーバー用タンク、あるいは、これら兼用のタンクに装着する，ろ材カートリッジを通る水が、自然に落下して下部タンクに溜まる常温用タンク、ウォーターサーバー用タンク、あるいは、これら兼用タンクのろ材カートリッジの構造を開発・提供することにある。
【課題を解決するための手段】
【０００８】
この考案による課題を解決するための手段としては、上部タンクと下部タンクからなる常温用タンク、ウォーターサーバー用タンク、あるいは、これら兼用のタンクであって、該タンクの上部タンクの底面部に装着し、下部タンクに連通する上・下二段のろ材カートリッジにおいて、上段のろ材カートリッジの上面部と、該容器の底面とに、それぞれ、ステンレス製のメッシュ板を設けたろ材カートリッジの構造としたものである。
【考案の効果】
【０００９】
この考案によると、ろ材カートリッジのうち、上段のろ材カートリッジの上面部と底面部にステンレス製のメッシュ板を設けたことにより、従来の合成樹脂のカートリッジのように静電気は発生せず、水道水がスムーズに落下し、しかも、逆流も生じないため、ろ材の活性炭等が上部タンクに浮上することを防止できる等極めて有益なる効果を奏するものである。
【００１０】
さらに、上段のタンクろ材カートリッジ及び下段のタンクろ材カートリッジが、上部タンクに、上から入れた水道水等の検査水を、ろ過し、サンゴミネラルを溶出することにより、水道水や検査水を手軽に使用でき、かつ、安全にろ過された水が飲める等の効果も奏するものである。
【図面の簡単な説明】
【００１１】
【図１】この考案の一実施例を示す常温用タンクの斜視図である。
【図２】この考案の一実施例を示す常温用タンクの断面図である。
【図３】この考案の一実施例を示すろ材カートリジの正面図である。
【図４】この考案の一実施例を示すろ材カートリジの断面図である。
【図５】この考案の他の実施例を示すウォーターサーバー用タンクの一部欠截正面図である。
【考案を実施するための形態】
【００１２】
この考案は、上段のろ材カートリッジの上面部と底面部、即ち，ろ材の上部と下部とに、それぞれステンレス製のメッシュ板を介在させるよう構成した常温用タンク、ウォーターサーバー用タンク、あるいは、これら兼用タンクのろ材カートリッジである。
【実施例】
【００１３】
先ず、この考案の一実施例を示した図面を説明すると、図１は、この考案を装着した常温タンクの斜視図であり、（Ａ）は基台、上部タンク（１）には、上部に、蓋（Ｂ）が着脱自在に被冠しており、下部には下部タンク（２）がスペーサー（Ｃ）を介して、載置されたものであり、図２は、この考案を装着した常温タンクの断面図であり、上部タンク（１）の底部に上・下二段からなる上段及び下段のろ材カートリッジ（３）（４）が設けられており、（Ｆ）は、これらカートリッジ（Ｘ）（Ｙ）でろ過された水を外部に取り出すためのコックであり、図３は、上・下二段からなる上段及び下段のろ材カートリッジ（３）（４）の正面図であり、図４は、上・下二段からなる上段及び下段のろ材カートリッジ（３）（４）の断面図であり、図５は、この考案の他の実施例であり、ウォーターサーバー（Ｄ）に装着したタンクの断面図であり、（Ｅ）は、フロートである。
【００１４】
次に、この考案の一実施例を図２，３，４，５に基づいて詳細に説明すると、上部タンク（１）と下部タンク（２）からなる常温用タンク、ウォーターサーバー用タンク、あるいは、これら兼用のタンクであって、該タンクの上部タンク（１）の底面部（１ａ）に、着脱自在に装着し、下部タンク（２）に連通する上・下二段のろ材カートリッジ（３）（４）において、上段のろ材カートリッジ（３）の上面部と、該容器の底面部とに、それぞれ、ステンレス製のメッシュ板（５）を介在させることを特徴とする常温用タンク、ウォーターサーバー用タンク、あるいは、これら兼用タンクのろ材カートリッジの構造から構成される。
【００１５】
尚、前記上段のろ材カートリッジ（３）の構造の一例としては、内部に活性炭等の上部ろ材（Ｘ）が充填されており、該ろ材（Ｘ）の上部に、ステンレス製のメッシュ板（５）を介在させ、その下、即ち，該ステンレス製のメッシュ板と上部ろ材（Ｘ）との間に、不織布等からなるフィルター（６）を敷設し、必要に応じては、２枚以上のフィルター（６）を敷設してもよいものである。
【００１６】
また、上部ろ材（Ｘ）の下部には、ステンレス製のメッシュ板（５）を敷設するものであり、これらを通過した水は、下段のろ材カートリッジ（４）内の下部ろ材（Ｙ）に落下するものであり、さらに、下部ろ材（Ｙ）を通過した水は下部タンク（２）に落下して溜まるものである。
【００１７】
そして、ステンレス製のメッシュ板（５）は、上段ろ材カートリッジ（３）内の活性炭等のろ材（Ｘ）にフィルター（６）を介して、上端及び下端に位置していればよく、その際、フィルター（６）の枚数や厚み等は関係のないものであり、また、ステンレス製のメッシュ板（５）の穴径は、８０〜１００メッシュのものが最適である。
【００１８】
さらに、下段のろ材カートリッジ（４）は、図４に示すように、風化珊瑚粉を焼成処理し、場合によっては他の石等も混合した下部ろ材（Ｙ）を充填しており、該下部ろ材（Ｙ）の上・下部にはフィルター（６）が敷設されており、上段のろ材カートリッジの蓋（３ａ）及び該ろ材カートリッジ（３）内を通過した水道水等の水を浄化・活性・制菌して下部タンク（２）に落下させるものである。そして、前記上段のろ材カートリッジ（３）と下段のろ材カートリッジ（４）とは、一方に雄ネジ、他方に雌ネジを設け、螺合することにより固定されている。また、図示はしないが、下段のろ材カートリッジ（４）の底部と、下部ろ材（Ｙ）との間に、ステンレス製のメッシュ板（５）を介在させてもよいものである。
【００１９】
また、常温用タンクは図２の断面図に示したように、基台（Ａ）の上に、下部タンク（２）とスペーサー（Ｃ）を介して上部タンク（１）が載置されており、上部タンク（１）には蓋（Ｂ）が被冠されているものである。また、図２に示す（Ｆ）は、浄化・活性・制菌された水道水を取り出すためのコックである。
【００２０】
また、図５は、ウォーターサーバー用タンクの一部断面図を示し、ウォーターサーバー（Ｄ）の上に、下部タンク（２）とスペーサー（Ｃ）を介して上部タンク（１）が載置されており、上部タンク（１）には蓋（Ｂ）が被冠されているものである。
更に、（Ｅ）は、フロートであり、ウォーターサーバー（Ｄ）用タンクの水が少なくなると、下がり下部タンク（２）の水が落下するよう構成したものである。
【産業上の利用可能性】
【００２１】
この考案の、常温用タンク、ウォーターサーバー用タンク、あるいは、これら兼用タンクのろ材カートリッジの構造の技術を確立し、実施することにより、環境にもよく、産業上利用可能性があるものである。
【符号の説明】
【００２２】
１  上部タンク
１ａ  底面部
２  下部タンク
３  上段のろ材カートリッジ
３ａ  上段のろ材カートリッジの蓋
４  下段のろ材カートリッジ
５  ステンレス製のメッシュ板
Ａ  基台
Ｂ  蓋
Ｃ  スペーサー
Ｄ  ウォーターサーバー
Ｅ  フロート
Ｆ  コック
Ｘ  上部ろ材
Ｙ  下部ろ材
【図１】
0003164794.tif 000003
【図２】
0003164794.tif 000004
【図３】
0003164794.tif 000005
【図４】
0003164794.tif 000006
【図５】
0003164794.tif 000007
【手続補正書】
【提出日】平成22年10月7日(2010.10.7)
【手続補正１】
【補正対象書類名】明細書
【補正対象項目名】０００９
【補正方法】変更
【補正の内容】
【０００９】
この考案によると、ろ材カートリッジのうち、上段のろ材カートリッジの上面部と底面部にステンレス製のメッシュ板を設けたことにより、従来の合成樹脂のカートリッジのように静電気は発生しにくく、水道水がスムーズに落下し、しかも、逆流も生じないため、ろ材の活性炭等が上部タンクに浮上することを防止できる等極めて有益なる効果を奏するものである。
【手続補正２】
【補正対象書類名】明細書
【補正対象項目名】００２２
【補正方法】変更
【補正の内容】
【００２２】
１  上部タンク
１ａ  底面部
２  下部タンク
３  上段のろ材カートリッジ
３ａ  上段のろ材カートリッジの蓋
４  下段のろ材カートリッジ
５  ステンレス製のメッシュ板
６  フィルター
Ａ  基台
Ｂ  蓋
Ｃ  スペーサー
Ｄ  ウォーターサーバー
Ｅ  フロート
Ｆ  コック
Ｘ  上部ろ材
Ｙ  下部ろ材